(57)【要約】【課題】呼吸穴を有していても水の浸入防止機能を高めることができるモータ用コントローラを提供する。【解決手段】モータ用コントローラ３のケース３１の正面３１ｂには、取付穴３１ｃと、呼吸用部材３７とが設けられている。呼吸用部材３７は、取付穴３１ｃに嵌め込まれている。呼吸用部材３７の内部には呼吸穴３８が設けられている。この呼吸穴３８は、ケース３１の内外の空気を流通させるものである。また、この呼吸穴３８は、呼吸用部材３７の取付穴３１ｃに通ずるように貫通しており、縦断面視で逆Ｌ字状に形成されている。【選択図】図３
2010142021.tif 000002
【特許請求の範囲】
【請求項１】
ケース内に制御基板が収容されているモータ用コントローラにおいて、
前記ケースの外面に、取付穴と、この取付穴を塞ぐ呼吸用部材とを設け、
前記呼吸用部材の内部には、前記取付穴に通じるように呼吸穴が貫通して設けられ、この呼吸穴は、縦断面視で先端部が下方へ向いた逆Ｌ字状に形成されて、前記ケースの内外の空気を流通させるように構成されていることを特徴とするモータ用コントローラ。
【請求項２】
請求項１に記載のモータ用コントローラにおいて、
前記呼吸穴の先端部を、上方へ向かうにつれて狭くなるように形成したことを特徴とするモータ用コントローラ。
【請求項３】
請求項１または請求項２に記載のモータ用コントローラにおいて、
前記呼吸穴の先端部の内壁面全体に溝を設けたことを特徴とするモータ用コントローラ。
【請求項４】
請求項１〜請求項３のいずれか１項に記載のモータ用コントローラにおいて、
前記呼吸穴で、前記取付穴から前方に延びる水平部分の上側内壁面を、前記取付穴から離れるにつれて下方へ傾斜していくように形成したことを特徴とするモータ用コントローラ。
【請求項５】
請求項１〜請求項４のいずれか１項に記載のモータ用コントローラにおいて、
前記取付穴を円形状に形成し、前記呼吸用部材を、前記取付穴に嵌め込むように構成すると共に前記取付穴に嵌め込んだ状態で回転可能に構成したことを特徴とするモータ用コントローラ。
【発明の詳細な説明】
【技術分野】
【０００１】
本件発明は、例えば、車両のラジエータファンのモータを制御するために使用されるモータ用コントローラに関する。
【背景技術】
【０００２】
従来より、車両のエンジンルーム内には、エンジンの他に、特許文献１に記載されているように、ラジエータ２、ラジエータファン３、モータ用コントローラ１等が設けられている。
【０００３】
モータ用コントローラ１は、ラジエータファン３のモータ１０を制御するものである。このモータ用コントローラ１は、ケース１１内に制御基板１３が収容されている。この制御基板１３には、一般的に発熱素子が使用されている。そのため、モータ用コントローラ１の駆動時には、制御基板１３が発熱してケース１１の内外に気圧差が生じ、ケース１１内に結露が生じるおそれがある。
【０００４】
そこで、ケース１１の外面には、呼吸穴３１が設けられている。ケース１１の内外の空気は、この呼吸穴３１によって流通される。そのため、ケース１１の内外の気圧は一定に保たれるので、ケース１１内に結露が生じるのが防止され、さらに結露によってコントローラが作動不良となるのが防止されている。さらに、呼吸穴３１の周りにはリブ３２が設けられている。このリブ３２により、外部から呼吸穴３１への水の浸入が防止されている。
【特許文献１】特開２００７−２７６６３７号公報
【発明の開示】
【発明が解決しようとする課題】
【０００５】
しかしながら、従来のモータ用コントローラ１は、呼吸穴３１の周りにリブ３２が設けられていても、呼吸穴３１はケース１１の外面に露出しているので、呼吸穴３１に水が浸入する可能性がある。したがって、従来のモータ用コントローラ１では、水の浸入を防止するのには限界があった。
【０００６】
本件発明は、かかる従来の課題に鑑みてなされたものであり、呼吸穴を有していても水の浸入防止機能を高めることができるモータ用コントローラを提供することを目的とする。
【課題を解決するための手段】
【０００７】
前記課題を解決するために本件発明の請求項１に記載のモータ用コントローラは、ケース内に制御基板が収容されているモータ用コントローラにおいて、前記ケースの外面に、取付穴と、この取付穴を塞ぐ呼吸用部材とを設け、前記呼吸用部材の内部には、前記取付穴に通じるように呼吸穴が貫通して設けられ、この呼吸穴は、縦断面視で先端部が下方へ向いた逆Ｌ字状に形成されて、前記ケースの内外の空気を流通させるように構成されていることを特徴としている。
【０００８】
また、本件発明の請求項２に記載のモータ用コントローラは、請求項１に記載のモータ用コントローラにおいて、前記呼吸穴の先端部を、上方へ向かうにつれて狭くなるように形成したことを特徴としている。
【０００９】
また、本件発明の請求項３に記載のモータ用コントローラは、請求項１または請求項２に記載のモータ用コントローラにおいて、前記呼吸穴の先端部の内壁面全体に溝を設けたことを特徴としている。
【００１０】
また、本件発明の請求項４に記載のモータ用コントローラは、請求項１〜請求項３のいずれか１項に記載のモータ用コントローラにおいて、前記呼吸穴で、前記取付穴から前方に延びる水平部分の上側内壁面を、前記取付穴から離れるにつれて下方へ傾斜していくように形成したことを特徴としている。
【００１１】
また、本件発明の請求項５に記載のモータ用コントローラは、請求項１〜請求項４のいずれか１項に記載のモータ用コントローラにおいて、前記取付穴を円形状に形成し、前記呼吸用部材を、前記取付穴に嵌め込むように構成すると共に前記取付穴に嵌め込んだ状態で回転可能に構成したことを特徴としている。
【発明の効果】
【００１２】
本件発明の請求項１に記載のモータ用コントローラでは、ケースの外面に取付穴と呼吸用部材とを設けると共に、呼吸用部材に縦断面視で逆Ｌ字状の呼吸穴を貫通して設け、この呼吸穴により、ケースの内外の空気を流通させるようにした。したがって、呼吸穴は、ケースの外面に露出していないので、従来のモータ用コントローラに比べて水が浸入しにくくなる。よって、請求項１に記載のモータ用コントローラは、呼吸穴を有していても水の浸入防止機能を高めることができる。
【００１３】
また、本件発明の請求項２に記載のモータ用コントローラでは、呼吸穴の先端部を、上方へ向かうにつれて狭くなるように形成した。これにより、呼吸穴の先端から水が浸入しても、その水が取付穴の方まで達するのを防ぐことができる。よって、請求項２に記載のモータ用コントローラは、水の浸入防止機能をさらに高めることができる。
【００１４】
また、本件発明の請求項３に記載のモータ用コントローラでは、呼吸穴の先端部の内壁面全体に溝を設けた。これにより、内壁面に付着する水の付着力が弱まるので、呼吸穴の先端から水が浸入しても落ちやすくなる。よって、請求項３に記載のモータ用コントローラは、水の浸入防止機能をさらに高めることができる。
【００１５】
また、本件発明の請求項４に記載のモータ用コントローラでは、呼吸穴の水平部分の上側内壁面を、取付穴から離れるにつれて下方へ傾斜していくように形成した。これにより、水平部分に水が付着しても下方に流れやすくなるので、水が取付穴の方に流れていくのを防ぐことができる。よって、請求項４に記載のモータ用コントローラは、水の浸入防止機能をさらに高めることができる。
【００１６】
また、本件発明の請求項５に記載のモータ用コントローラでは、呼吸用部材を、取付穴に嵌め込むように構成すると共に、取付穴に嵌め込んだ状態で回転可能に構成した。これにより、作業者は、呼吸用部材をケースに設置する際に、先端部が下方にくる位置に合わせて取り付ける必要はなく、どのような角度で取り付けても良く、取付後に先端部が下方にくるように所定角度回転させれば良い。よって、請求項５に記載のモータ用コントローラは、呼吸用部材の設置作業性を高めることができる。
【発明を実施するための最良の形態】
【００１７】
以下、本件発明の実施の形態を図にしたがって説明する。
【００１８】
図１は、本件発明の一実施の形態を示す車両のエンジンルーム内の模式図である。エンジンルーム内には、エンジン（図示せず）の他に、ラジエータ１、ラジエータファン２、モータ用コントローラ３、バッテリー４等が設けられている。
【００１９】
図２は、モータ用コントローラ３の正面図である。モータ用コントローラ３は、ラジエータファン２のモータ（図示せず）を制御するものである。このモータ用コントローラ３は、ケース３１と、制御基板３２とを中心にして構成されている。制御基板３２は、ケース３１の内部３１ａに収容されている。この制御基板３２はラジエータファン２のモータを制御する部分であり、制御基板３２には発熱素子（図示せず）が使用されている。
【００２０】
ケース３１の上下面には、取付片３３がそれぞれ設けられている。この取付片３３は、モータ用コントローラ３をラジエータファン２に固定するものである。
【００２１】
ケース３１の下面と右側面には、３つの防水コネクタ３４〜３６が突設されている。ケース３１の下面に設けられている防水コネクタ３４は、入力側の防水コネクタである。この防水コネクタ３４は、図１に示すように、ケーブル６を介してバッテリー４と車体のアース部分５（ＧＮＤ）とに接続されている。また、ケース３１の右側面に配置されている２つの防水コネクタ３５、３６は、出力側の防水コネクタである。この２つの防水コネクタ３５、３６は、図１に示すように、それぞれケーブル６を介してラジエータファン２のモータ（図示せず）に接続されている。
【００２２】
また、ケース３１の正面３１ｂ（ラジエータファン２と反対側に位置する面）の中央部分には、取付穴３１ｃと、呼吸用部材３７とが設けられている。
【００２３】
取付穴３１ｃは円形状に形成されており、ケース３１の内部３１ａに通じている。呼吸用部材３７は、取付穴３１ｃに嵌め込まれている。さらに、呼吸用部材３７は、取付穴３１ｃに嵌め込んだ状態で回転可能に構成されている。
【００２４】
図３は、図２のＡ−Ａ断面図である。呼吸用部材３７の内部には呼吸穴３８が設けられている。以下に、呼吸穴３８について詳しく説明する。
【００２５】
呼吸穴３８は、ケース３１の内外の空気を流通させるものである。この呼吸穴３８は、呼吸用部材３７の取付穴３１ｃに通ずるように、呼吸用部材３７の後面３７ｃ（ケース３１に接触している面）から下面３７ｄにかけて貫通している。また、呼吸穴３８は縦断面視で逆Ｌ字状に形成されている。これにより、呼吸穴３８は、取付穴３１ｃから前方に延びる水平部分３８１と、水平部分３８１の前端から下方に延びる垂直部分３８２とから構成されている。
【００２６】
水平部分３８１は、その上側内壁面３８１ａが、取付穴３１ｃから離れるにつれて下方へ傾斜していくように形成されている。
【００２７】
また、垂直部分３８２は、その先端部３８２ａ（呼吸穴３８の先端部）が、上方へ向かうにつれて狭くなるように２段形状に形成されている。さらに、先端部３８２ａの内壁面３８２ｂ全体には、複数の縦溝３８２ｃが形成されている。また、垂直部分３８２において先端部３８２ａ以外の部分３８２ｄは、先端部３８２ａよりも狭く形成されている。さらにこの部分３８２ｄは、上方へ向かうにつれて狭くなるように形成されている。
【００２８】
以上のように構成されているモータ用コントローラ３は、上記で説明した呼吸穴３８によってケース３１の内外の空気が流通されているので、駆動時に制御基板３２が発熱してもケース３１内外の気圧は一定に保たれて、ケース３１内に結露が生じるのが防止される。
【００２９】
また、この呼吸穴３８は、ケース３１の外面に露出していないので、従来のモータ用コントローラに比べて水が浸入しにくくなる。よって、本実施の形態のモータ用コントローラ３は、呼吸穴３８を有していても水の浸入防止機能を高めることができる。
【００３０】
また、呼吸穴３８の先端部３８２ａは上方へ向かうにつれて狭くなっている。また、垂直部分３８２の先端部３８２ａ以外の部分３８２ｄも先端部３８２ａよりも狭くなっており、さらに上方へ向かうにつれて狭くなっている。したがって、呼吸穴３８の先端から水が浸入しても、その水が取付穴３１ｃの方まで達するのを防ぐことができる。
【００３１】
また、先端部３８２ａの内壁面３８２ｂ全体には複数の溝３８２ｃが設けられているので、内壁面３２８ｂに付着する水の付着力（表面張力）が弱まり、水が落ちやすくなる。さらに、この複数の溝３８２ｃは縦に延びた縦溝であるので、水が落ちるときのガイドの役割を果たすことになり、水がより落ちやすくなる。
【００３２】
また、呼吸穴３８の水平部分３８１の上側内壁面３８１ａは、取付穴３１ｃから離れるにつれて下方へ傾斜している。このため、水平部分３８１に水が付着しても下方に流れやすくなるので、水が取付穴３１ｃの方に流れていくのを防ぐことができる。よって、本実施の形態のモータ用コントローラ３は、水の浸入防止機能をさらに高めることができる。
【００３３】
また、本実施の形態のモータ用コントローラ３では、呼吸用部材３７を、取付穴３１ｃに嵌め込むように構成すると共に、取付穴３１ｃに嵌め込んだ状態で回転可能に構成した。これにより、作業者は、呼吸用部材３７をケース３１に設置する際に、最初から呼吸用部材３７を所定位置、つまり、呼吸穴３８の先端部３８２ａが下方にくる位置に合わせる必要はない。作業者は、呼吸用部材３７を、所定位置にとらわれずにどのような角度でケース３１に取り付けても良く、その後に先端部３８２ａが下方にくるように所定角度回転させれば良い。よって、本実施の形態のモータ用コントローラ３は、呼吸用部材３７の設置作業性を高めることができる。
【００３４】
以上、本件発明にかかる実施の形態を例示したが、この実施の形態は本件発明の内容を限定するものではない。また、本件発明の請求項の範囲を逸脱しない範囲であれば、各種の変更等は可能である。
【００３５】
本実施の形態では、図２に示すように、呼吸用部材３７において取付穴３１ｃに嵌合されない非嵌合部３７ａの外形形状を、取付穴３１ｃに嵌合される嵌合部３７ｂと同様に円形にしたが、非嵌合部３７ａの外形形状は円形に限定しなくても良い。
【００３６】
例えば、図４に示すように、呼吸用部材１３７の嵌合部１３７ｂの外形形状は円形のままで、非嵌合部１３７ａの外形形状を六角形のような多角形形状にしても良い。また、非嵌合部３７ａ、１３７ａの外面に呼吸穴３８の位置を示す印等の位置決め部を設けておけば、作業者は、ケース３１に取り付けた呼吸用部材３７、１３７を回転する際に、この呼吸用部材を所定位置にスムーズに位置させることが可能になるので、呼吸用部材３７、１３７の設置作業性を高めることができる。
【００３７】
また、本実施の形態では、ラジエータファン２のモータを制御するモータ用コントローラ３に本件発明を適用した場合について説明したが、その他の各種のモータ用コントローラに本件発明を適用しても、上記で説明した各効果を得ることができる。
【産業上の利用可能性】
【００３８】
以上説明したように本件発明のモータ用コントローラは、呼吸穴を有していても水の浸入防止機能を高めることができる。したがって、本件発明のモータ用コントローラを、その技術分野で十分に利用することができる。
【図面の簡単な説明】
【００３９】
【図１】本件発明の一実施の形態を示す車両のエンジンルーム内の模式図である。
【図２】同実施の形態を示すモータ用コントローラの正面図である。
【図３】図２のＡ−Ａ断面図である。
【図４】本件発明の他の実施の形態を示すモータ用コントローラの正面図である。
【符号の説明】
【００４０】
３    モータ用コントローラ
３１    ケース
３１ｃ    取付穴
３２    制御基板
３７    呼吸用部材
３８    呼吸穴
１０３    モータ用コントローラ
１３７    呼吸用部材
３８１    水平部分
３８１ａ    上側内壁面
３８２ａ    先端部
３８２ｂ    内壁面
３８２ｃ    溝
【図１】
2010142021.tif 000003
【図２】
2010142021.tif 000004
【図３】
2010142021.tif 000005
【図４】
2010142021.tif 000006